(57)【要約】【課題】  施工や保守の容易な緑化用ユニットの提供を課題とする。また、植物の育成にも適した緑化用ユニットの提供を課題とする。【解決手段】  相互に間隔を開けて並設される複数の根太２０（排水樋）と、この根太２０上に架設されるパレット３０を備え、パレット３０には植物の培地となる土壌３が収容される緑化用ユニット１であって、前記パレット３０は、パレット３０の底面を形成している底板３１と、この底板３１に連設した周壁板３２とを有し、底板３１及び周壁板３２の少なくとも一方には、パレット３０内に給水される水を根太２０によって構成される排水樋に排水するための排水口３５ａが設けられ、さらに、底板３１には、パレット３０内に給水された水を前記排水口３５ａに集水するための水勾配が設けられていることを特徴とする。【選択図】  図２
2005110592.tif 000002
【特許請求の範囲】
【請求項１】
相互に間隔を開けて施工面に設置される複数の排水樋と、この排水樋上に架設されるパレットを備え、前記パレットには植物の培地となる土壌が収容される緑化用ユニットであって、
前記パレットは、パレットの底面を形成している底板と、この底板に連設した周壁板とを有し、
前記底板及び周壁板の少なくとも一方には、前記パレット内に給水される水を前記排水樋に排水するための排水口が設けられ、さらに底板には、前記パレット内に給水された水を前記排水口に集水するための水勾配が設けられていることを特徴とする緑化ユニット。
【請求項２】
前記排水口は、前記排水樋の縁部より低い位置に開口していることを特徴とする請求項１に記載の緑化ユニット。
【請求項３】
前記水勾配は、前記底板の中央部から前記底板の縁部に向かって下る底板表面の斜面によって構成されていることを特徴とする請求項１又は２に記載の緑化ユニット。
【請求項４】
前記水勾配が形成されている底板の水勾配上流部には、前記パレット内に水を給水するための給水部が設けられ、
前記給水部は、前記パレットの裏面側から延びる給水管に接続されていることを特徴とする請求項１から３の何れかに記載の緑化ユニット。
【請求項５】
前記水勾配が形成されている底板の表面には、底板の上流側から流れ込む水を底板の表面上に一旦貯水するための仕切板が設けられていることを特徴とする請求項１から４の何れかに記載の緑化ユニット。
【請求項６】
前記仕切板には、前記底板上に貯水される水の水位を調整するための流路が形成され、この流路は、前記仕切板の上端よりも低い位置に設けられていることを特徴とする請求項５に記載の緑化ユニット。
【発明の詳細な説明】
【技術分野】
【０００１】
本発明は、施工面の緑化技術に関し、より詳細には、ビル等の屋上スラブでの使用に好適な緑化用ユニットに関する。
【背景技術】
【０００２】
この種の緑化技術として、例えば、下記特許文献１に示す屋上緑化装置が知られている。
この屋上緑化装置は、一定の水位となるように水を貯める下部コンテナと、人工土壌が収容された上部コンテナとを積重ねて栽培コンテナが構成され、この栽培コンテナを屋上の前後左右に敷き並べることで屋上に人工土壌を設けている。
【０００３】
また、各下部コンテナは連結管によって相互に連結されており、その最上流部に位置する下部コンテナには、他の下部コンテナに水を供給するための給水栓が設けられている。また、一方、上部コンテナには、水吸上げ部材が設けられており、下部コンテナ内の水は、この水吸い上げ部材によって奏される毛細管現象に起因して、下部コンテナから上部コンテナに向かって吸い上げられる。
【特許文献１】特開平１１−０９８９２９
【発明の開示】
【発明が解決しようとする課題】
【０００４】
ところで、本発明者らの鋭意研究によれば、この種の屋上緑化装置について種々の改善すべき点が見いだされた。
まず、注目すべき点として、従来の屋上緑化装置では、貯水用のコンテナ（下部コンテナ）を屋上に敷き並べた後、これら貯水用のコンテナを相互に連結して各コンテナ間における水の出入りを可能にしている。このため、コンテナ相互の連結には、数多くの防水パッキンが必要とされ、施工現場において各所に防水パッキンを組み込むといった煩わしい作業が要求されていた。
【０００５】
また、保守の面では、コンテナの連結において防水パッキンを使用する都合上、その経年劣化は避けられず、比較的短周期で保守や点検が要求されていた。
【０００６】
また、植物の育成にとって良好な環境を考えると、コンテナ内の水は、絶えず循環している方が望ましく、この点においても、従来の屋上緑化装置は、改善の余地があった。より詳しく説明すると、従来の屋上緑化装置は、緩やかに傾斜した屋上に各コンテナを敷設し、そのコンテナの最上流部から最下流部のコンテナに向かって水を流すため、各コンテナ内を流れる水の流量は乏しく、新鮮な水を絶えず土壌に供給することは困難であった。また、屋上の床スラブの状況によっては、コンテナ内に止水域が形成されることもあり、水の腐敗による臭気等の発生も懸念される。
【０００７】
また、コンテナと床スラブ間における通気性を考えると、従来の屋上緑化装置では、床スラブ上に敷設された防水シート上にコンテナを直に設置するため、コンテナの裏面側の通気性は、ほとんど無く、長期に渡る使用では、この床スラブとコンテナの間に発生する湿気によって、防水シートの接着層や床スラブが劣化するといった虞もある。
【０００８】
本発明は、このような技術的背景を考慮してなされたもので、施工や保守の容易な緑化用ユニットの提供を課題とする。また、植物の育成にも適した緑化用ユニットの提供を課題とする。
【課題を解決するための手段】
【０００９】
上記した技術的課題を解決するため、本発明では以下の構成とした。
すなわち、本発明は、相互に間隔を開けて施工面に設置される複数の排水樋と、この排水樋上に架設されるパレットを備え、前記パレットには植物の培地となる土壌が収容される緑化用ユニットであって、前記パレットは、パレットの底面を形成している底板と、この底板に連設した周壁板とを有し、前記底板及び周壁板の少なくとも一方には、前記パレット内に給水される水を前記排水樋に排水するための排水口が設けられ、さらに底板には、前記パレット内に給水された水を前記排水口に集水するための水勾配が設けられていることを特徴とする。
【００１０】
このように構成された本発明の緑化用ユニットは、施工面に複数の排水樋を敷設し、植物の培地となる土壌を収容したパレットを、これら排水樋上に架設して構成されている。また、パレットの底板及び周壁板の少なくとも一方には、パレット内に給水された水を排水樋に排水するための排水口が設けられている。また、底板には、この排水口に水を集水するための水勾配が形成されており、パレット内の水は、この水勾配に起因して排水口に集められ、排水口を通じて排水樋に流れ込むことになる。
【００１１】
つまり、本構成では、パレットを相互に連結することなく、各パレットの水を排水樋に集約して排水することができるため、その施工にあたり、防水パッキン等を用いて各パレットを相互に連結する必要がなく、その施工や保守において、簡略化を図ることができる。
【００１２】
また、水勾配に関して、本緑化用ユニットは、パレット自体に水勾配が確保されることから、施工面の傾斜の有無に拘わらず、必要な斜度を有する水勾配をパレット内に確保することができる。また、各パレットは、排水樋上に架設されるため、床スラブとパレットの間には、十分な隙間が確保され、以て、パレットの裏面側における通気性をも向上させることが可能になる。
【００１３】
なお、上記で土壌とは、自然の土壌のみならず、人工の砂礫等で構成される人工土壌等をも含む概念である。また、上記で水とは、植物の育成に必要な薬液等を含む飼育水も含む概念である。
【００１４】
また、前記排水口は、前記排水樋の縁部より低い位置に開口している構成であってもよい。
この構成では、排水樋の縁部より低い位置に排水口が開口しているため、パレット内の水は、パレット裏面側に回り込むことなく、この排水口から排水樋内に滴り落ちることになる。
【００１５】
前記水勾配は、前記底板の中央部から前記底板の縁部に向かって下る底板表面の斜面によって構成されていてもよい。
【００１６】
この構成によれば、底板の中央部から底板の縁部に向かって下る斜面によって、底板の表面に水勾配が確保される。このため、例えば、底板を一方向に全体的に傾けて斜度を確保する場合に較べて、底板の表面の各所における高低差を減らしつつ、斜度の大きな水勾配を底板の表面に形成することができる。また、さらに加えて、底板の表面は、その頭頂部において非平滑面となり、底板に対して張りを与えることができるため、パレット内の土壌の重さに起因した底板の歪み等を抑制できるといった利点も得られる。
なお、上記で底板の中央部とは、点で定められる中央の他、例えば、中心線等で定められる中央をも含む概念である。
【００１７】
また、前記水勾配が形成されている底板の水勾配上流部には、前記パレット内に水を給水するための給水部が設けられ、前記給水部は、前記パレットの裏面側から延びる給水管に接続されている構成であってもよい。
この構成によれば、底板の水勾配上流部に給水部が設けられ、給水部に対する水の供給は、底板裏面に延びる給水管で行われている。したがって、これら給水部や給水管は、パレットの表面側に露出せず、パレットの表面に臨む全開口部を植物の培地として有効利用できる。
【００１８】
また、前記水勾配が形成されている底板の表面には、底板の上流側から流れ込む水を底板の表面上に一旦貯水するための仕切板が設けられている構成であってもよい。
【００１９】
この構成では、水勾配が形成される底板の表面に仕切板が設けられているため、この仕切板によって簡易な貯水域が底板の表面に確保されることになる。よって底板の表面に十分な水勾配を確保しつつも、底板の上方の土壌に対して、より確実に水を供給することが可能になる。また、仕切板を設けることで、水勾配の下流側への土壌の流出をも抑制できる。
【００２０】
また、前記仕切板には、前記底板上に貯水される水の水位を調整するための流路が形成され、この流路は、前記仕切板の上端よりも低い位置に設けられている構成であってもよい。
【００２１】
この構成によれば、仕切板に水位調整用の流路が形成されている。このため、底板の表面に一時的に貯まる水の水位は適切値に維持され、また、この水位よりも高い仕切板の上端は、パレット内に収容される土壌の流れ止めとなり、以て、底板表面の水流に起因した土壌の流出を、より確実に抑制することが可能になる。
【発明の効果】
【００２２】
このように本発明によれば、施工や保守の容易な緑化用ユニットを提供することができる。また、植物の育成にも適した緑化用ユニットを提供することができる。
【発明を実施するための最良の形態】
【００２３】
以下、図面に基づき、本発明の好適な実施の形態について説明する。
なお、本実施の形態では、ビルの屋上に本発明の緑化用ユニットを用いて芝生面を形成した実施形態について説明する。
【００２４】
まず、図１及び図２を参照して、本実施の形態に示す緑化用ユニット１の概略構成を説明する。
本実施の形態に示す緑化用ユニット１は、施工面である屋上スラブＳに敷設された複数本の大引１０と、これら大引１０上に架設された複数の根太２０と、隣接する根太２０を基礎として、この根太２０上に架設される複数枚のパレット３０と、パレット３０内に水を補給するための給水装置４０と、パレット３０の裏面側に設けられる空間Ｐに通じる換気ダクト５０を備えている。
【００２５】
大引１０は、図１及び図２に示すように、断面略矩形の中空ステンレス製ボックスから構成され、大引１０の内部は、別途設置される給水タンク４１に通じる排水経路４１ａに連通されている。また、大引１０は、床スラブＳ上に敷設された防水シート２上に、等間隔且つ平行に設けられている。なお、隣接する大引１０の間隔は、後述するパレット３０の長辺方向における寸法と等しい値になっている。
【００２６】
大引１０上に架設される根太２０は、図２に示すように、上端面が開口したステンレス製の樋形状をなし、その設置状態は、大引１０の長手方向に対して直行し、且つ複数の大引１０に跨って架設されている。また、根太２０も同様に、大引１０の長手方向において等間隔且つ平行に設置されている。なお、隣接する根太２０の間隔は、後述するパレット３０の短辺方向における寸法と等しい値に設定されている。
【００２７】
また、根太２０において、大引１０と交差する箇所には、根太２０から大引１０内部の排水経路４１ａに達する連通路２０ａが形成されている。このため、根太２０内に流れ込んだ水は、この連通路２０ａを滴り落ちて大引１０内に流れ込み、さらに大引１０内部から給水タンク４１に至る排水経路４１ａを通じて給水タンク４１に流れ込むことになる。
【００２８】
続いて、根太２０上に架設されるパレット３０について図２から図４を参照して説明する。
パレット３０は、図３に示すように、略矩形に形成された底板３１と、この底板３１の周囲に立設した周壁板３２とを備え、植物を育成するための土壌３は、このパレット３０の内部に収容されている。
なお、収容すべき土壌３としては、保水性や吸水性に富む軽量の人工砂礫等が望ましい。また、この人工土壌３に対して芝４が植えられている。
【００２９】
また、パレット３０の底面を形成する底板３１には、図２に示すように、底板３１の中央部から底板３１の周囲にかけて下る斜面３３が形成されており、この斜面３３によって底板３１に水勾配が確保されている。より詳しくは、底板３１の長手方向に延びる中心線Ｃを頂（頭頂部）として、この中心線Ｃから底板３１の長手方向に位置した両縁部に向かって下る２つの斜面３３，３３によって水勾配が確保されている。
【００３０】
また、底板３１の頂（水上部分）には、上記した給水装置４０としてパレット３０の裏面側から延びる給水管４２に接続したストレーナ（給水部）４３が突出して設けられ、パレット３０内の土壌３には、この給水管４２及びストレーナ４３を通じて水が供給される仕組みになっている。
【００３１】
なお、給水管４２は、別途設置された上記の給水タンク４１に、給水経路４１ｂを通じて接続されており、パレット３０内には、給水タンク４１内に設けられた揚水ポンプ４１ｃによって汲み上げられた水が供給されることになる。
【００３２】
また、底板３１には、ストレーナ４３を保持するためのスリーブ３４が設けられており、施工時には、給水管４２をこのスリーブ３４内に換挿した後、内部にＯリングが設けられた締付け用のスリーブ３４ａを給水管４２を通じてスリーブ３４側に締め付けることで、給水管４２とスリーブ３４との間における防水性を確保する。また、この給水管４２の先端（開口端）を覆うように筒状のストレーナ４３を被せる。
【００３３】
また、パレット３０の長辺に位置した底板３１の縁部には、上記した根太２０の開口部に係合する集水溝３５がパレット３０裏面側に突出して設けられており、パレット３０は、この突出して設けられた集水溝３５と根太２０との係合によって、根太２０に対する位置決めがなされている。
【００３４】
また、集水溝３５の底面には、根太２０の縁部２１より低い位置に開口した排水口３５ａが設けられている。このため、パレット３０に給水された水は、一旦集水溝３５に集水された後、この集水溝３５の底面に開口した排水口３５ａを通じて根太２０内に排水されることになる。
したがって、パレット３０内の水は、集水溝３５→排水口３５ａ→根太２０→連通路２
０ａ→大引１０→排水経路４１ａ→給水タンク４１→揚水ポンプ４１ｃ→給水経路４１ｂ→給水管４２→ストレーナ４３→パレット３０→の順で、パレット３０内を循環する。
また、本発明の特許請求の範囲との兼ね合いでは、このパレット３０が架設される根太２０で本発明に係る排水樋が構成されている。
【００３５】
また、本実施の形態に示すパレット３０の底板３１上には、ストレーナ４３から供給される水の一部を底板３１の表面の各所に一時貯水するための仕切板３６が設けられている。
この仕切板３６は、図２に示すように、いずれも同じ高さであり、斜面３３にて構成される底板３１の表面に、階差を有する簡易なダム様の貯水域Ｒを等間隔で確保している。
【００３６】
また、各仕切板３６には、貯水域Ｒの水位を一定に調整するための流路３６ａが形成されており、底板３１の各所に貯水される水の水位は、この仕切板３６に設けられる流路３６ａによって、適正値に保たれている。より詳しくは、図４に示すように、各仕切板３６には、その上端から幾分低い位置に、水位調整用の調整孔３７が設けられており、仕切板３６の上流側から流れ込んだ水は、図２に示すように、この調整孔３７よりも低い位置に貯水され、調整孔３７よりも高い位置では、さらに下流に設けられる仕切板３６に向かって余分な水が流れ出る仕組みになっている。
【００３７】
また、この仕切板３６は、図２に示すように、パレット３０内に収容される土壌３に埋設されるため、この仕切板３６と土壌３との接触によって、底板３１下流への土壌３の流出が抑制されている。すなわち、仕切板３６は、土壌３の流出抑制壁ともいえる。
【００３８】
換気ダクト５０は、図２に示すように、屋上に敷設されるパレット３０の周囲に設けられ、大引１０及び根太２０によって嵩上げされたパレット３０の裏面側の換気を行っている。より詳しくは、パレット３０の裏面側に形成される空隙Ｃに連通した換気塔５１と、この換気塔５１の壁面に形成されたダクト５２を備え、パレット３０の裏面側の湿気等は、換気塔５１に設けられるダクト５２を通じて外気に排気されることになる。
【００３９】
続いて、上記した緑化用ユニット１の施工方法について説明する。
まず、施工面たる床スラブＳ上に防水シート２を敷設した後、この防水シート２上に大引１０を平行且つ等間隔に設置する。また、併せて上記換気ダクト５０を施工面の適所に配置する。
【００４０】
続いて、大引１０上に根太２０を架設した後、各パレット３０が架設されるべき箇所に給水管４２を立ち上げる。また、根太２０及び大引１０には、図示しないステー等が設けられており、作業者は、このステーにクランプ等を用いて給水管４２を固定する。
【００４１】
続いて、芝４が植えられたパレット３０を工場から搬入し、隣接した根太２０上に、このパレット３０を架設する。なお、その際、パレット３０に設けられる集水溝３５を根太２０を係合させることで、根太２０に対するパレット３０の位置決めを行うと共にパレット３０から根太２０（排水樋）に至る排水経路を確保する。
【００４２】
また、パレット３０に収容された土壌３は、パレット３０の底板３１に設けられるスリーブ３４がパレット３０の表面側に臨むように収容されており、作業者は、スリーブ３４内に給水管４２が突出するように各パレット３０を根太２０上に敷設していく。また、スリーブ３４に締付け用のスリーブ３４ａを締め付けた後、給水管４２の先端にストレーナ４３を被せる。そして、最後に、このストレーナ４３を覆い隠すように土壌３を盛り、芝４を植える。
【００４３】
このように本実施の形態に示す緑化用ユニット１は、パレット３０を相互に連結することなく、各パレット３０の水を排水樋（根太２０）に集約して排水することができるため、その施工にあたり、防水パッキンを用いて各パレット３０を相互に連結する必要性がなく、その施工や保守において、各種作業の簡略化を図ることができる。
【００４４】
また、水勾配に関して、本緑化用ユニット１は、パレット３０自体に水勾配が確保されていることから、施工面の傾斜の有無に拘わらず、必要な斜度の水勾配を得ることができる。よって、パレット３０内における水の流れが良好となり、土壌３に対して新鮮な水を供給することが可能になる。
【００４５】
また、水勾配の形成にあたり、本実施の形態では、底板３１の中央部から底板３１の縁部に向かって下る斜面３３によって、底板３１の表面に水勾配を確保している。このため、例えば、底板３１を一側方から他側方に向かって全体的を傾けて斜度を確保する場合に較べて、底板３１の表面の各所における高低差を減らしつつ、斜度の大きな水勾配を底板３１の表面に確保することができる。このため、パレット３０の深さが底板３１の各所においてほぼ同様な深さとなり、パレット３０に対して土壌３をほぼ均一な厚みで敷き詰めることが可能となる。よって、根太２０に対して、バランス良く荷重をかけることができる。また、勿論、パレット３０に対して土壌３をほぼ均一に敷き詰めることが可能であることから、土壌３の表面を平坦に維持できるといった利点も得られる。
【００４６】
また、さらに加えて、底板３１の表面は、その頭頂部（中心線Ｃ）において非平滑面となり、この中心線Ｃが簡易なリブとしての機能を果たすこととになる。よって、底板３１に対して張りを与えることができるため、パレット３０内の土壌３の重さに起因した底板３１の歪み等を積極的に抑制できるといった利点も得られる。
【００４７】
なお、上記した実施の形態は、あくまでも一実施の形態であり、その詳細は所望に応じて変更可能である。
まず、上記した実施の形態では、仕切板３６に調整孔３７を形成しているが、この調整孔３７にかえて、例えば、図５に示すように、仕切板３６の上縁に切欠きを形成して、この切欠きを水調整用の流路３６ａとして使用してもよい。
【００４８】
また、上記した実施の形態では、底板３１に対する水勾配の形成にあたり、パレット３０の長手方向に延びる中心線Ｃを頂として形成される２つの斜面３３，３３によって水勾配を形成しているが、必ずしもその必要はなく、例えば、図６に示すように底板３１の中心から底板３１の周囲に向かって下る放射状の斜面３３など、パレット３０の形状変更に伴い水勾配の向きは、任意に変更することができる。
【００４９】
また、上記した実施形態では、根太２０及び大引１０の基材として、ステンレス材を採用したが、必ずしもその必要はなく、ステンレス材に換わる他の材料（例えば、樹脂）を採用することも可能である。
【００５０】
また、上記した実施の形態では、スリーブ３４と給水管４２との間における防水性の確保にあたり、Ｏリングを有する締付け用のスリーブ３４ａを用いたが、例えば、パレット３０と一体にスリーブ３４を形成しておき、且つパレット３０の表面に対するスリーブ３４の突出量を、スリーブ３４の周囲に形成される貯水域Ｒの水位に較べて十分多く取れば、スリーブ３４と給水管４２の隙間からの漏水を、機構上、抑制することが可能になる。
【００５１】
また、本実施の形態では、施工面としてビルの屋上を例示したが、必ずしもその必要はなく、例えば、良好な水捌けが要求されるグランド等においても本発明の緑化ユニットは、好適に使用することができる。
【図面の簡単な説明】
【００５２】
【図１】本実施の形態に示す緑化ユニットの概略構成図。
【図２】本実施の形態に示す緑化ユニットの要部拡大断面図。
【図３】本実施の形態に示すパレット３０の斜視図。
【図４】本実施の形態に示す仕切板３６の拡大斜視図。
【図５】本実施の形態に示す仕切板３６の変形例を示した図。
【図６】本実施の形態に示すパレット３０の変形例を示した図。
【符号の説明】
【００５３】
１  緑化用ユニット
２  防水シート
３  土壌
４  芝
１０  大引
２０  根太
２０ａ  連通路
２１  根太の縁部
３０  パレット
３１  底板
３２  周壁板
３３  斜面
３４  スリーブ
３４ａ  締付け用のスリーブ
３５  集水溝
３５ａ  排水口
３６  仕切板
３６ａ  流路
３７  調整孔
４０  給水装置
４１  給水タンク
４１ａ  排水経路
４１ｂ  給水経路
４１ｃ  揚水ポンプ
４２  給水管
４３  ストレーナ（給水部）
５０  換気ダクト
５１  換気塔
５２  ダクト
Ｒ  貯水域
Ｓ  屋上スラブ
【図１】
2005110592.tif 000003
【図２】
2005110592.tif 000004
【図３】
2005110592.tif 000005
【図４】
2005110592.tif 000006
【図５】
2005110592.tif 000007
【図６】
2005110592.tif 000008